(57)【要約】【課題】竿管が大きく撓んだ場合であっても、竿管の外周部に外ガイド等の取付部品を固定する固定部材にクラックが入るのを防止することのできる構造簡単で安価な釣竿を提供すること【解決手段】軸方向に延びる脚部３４を有する釣糸ガイド２２を、この脚部３４と竿管１８とに巻回した固定部材３６により、竿管の外側に固定し、この固定部材３６と脚部３４との間に、この固定部材よりも伸びの少ない低伸度部材３８を配置し、竿管が撓んだときに、脚部３４が固定部材３６を竿管１８から持上げるのを防止した釣竿。【選択図】    図３
2004194563.tif 000002
【特許請求の範囲】
【請求項１】
軸方向に延びる脚部を有する取付部品を、この脚部と竿管とに巻回した固定部材により、竿管の外側に固定した釣竿であって、前記固定部材と脚部との間に、この固定部材よりも伸びの少ない低伸度部材を配置し、竿管が撓んだときに、前記脚部が固定部材を竿管から持上げるのを防止したことを特徴とする釣竿。
【請求項２】
前記低伸度部材は、糸状、テープ状又は織布状構造を有することを特徴とする請求項１に記載の釣竿。
【請求項３】
前記低伸度部材は、前記脚部の一部とこの脚部に隣接する竿管の部位とに重ねて配設されることを特徴とする請求項１又は２に記載の釣竿。
【請求項４】
前記低伸度部材は、軸方向端部に向けて次第に薄肉化することを特徴とする請求項１から３のいずれか１つに記載の釣竿。
【請求項５】
前記低伸度部材は、前記固定部材の厚さの半分以下であることを特徴とする請求項１から４のいずれか１つに記載の釣竿。
【発明の詳細な説明】
【０００１】
【発明の属する技術分野】
本発明は釣竿に関し、特に、軸方向に延びる脚部を有する取付部品を、この脚部と竿管とに巻回した固定部材により、竿管の外側に固定した釣竿に関する。
【０００２】
【従来の技術】
例えば釣糸ガイド等の取付部品を竿管上に取付ける方法として、取付部品の軸方向に延びる取付部を竿管と共に糸巻きし、この糸の緩みを防止する糸止めを施すのが一般的である。
【０００３】
更に、このような糸巻きおよび糸止めに代え、プリプレグシートを取付部と竿管とに巻回して固定し、この固定部の周りに合成樹脂製の間隙充填部材を充填したものもある（例えば特許文献１参照）。
【０００４】
【特許文献１】
実開平２−２６４７４（第１頁、第１図）
【０００５】
【発明が解決しようとする課題】
しかし、例えば釣糸ガイドの取付脚部のように、取付部品の取付部は、金属等の極めて剛性の高い材料で形成されるのが通常であるため、最も一般的に行われているような糸巻き、および糸止めで取付部品を竿管に固定する場合には、竿管が大きく撓んだ際に、取付部品の取付部の端部が、その上に巻回された糸巻きおよび糸止めを突き上げるように作用する。このため、糸巻きおよび糸止め部にクラックが発生することがあった。
【０００６】
また、プリプレグシートを取付部と竿管とに巻回したものにあっては、このようなプリプレグシートおよび間隙充填部材を加熱硬化するために、プリプレグシートの周部をテーピングして加圧する必要がある。このような取付部品を装着した状態でテーピングを施すことは、困難な作業を必要とすることに加え、硬化した後にテープを撤去する工程が必要となる。更に、プリプレグシートに含浸されたの樹脂の流動による樹脂溜りの除去、および、テープをはいだ後に残るテープ目の除去等の工程も必要となる。
【０００７】
本発明は、このような事情に基づいてなされたもので、竿管が大きく撓んだ場合であっても、竿管の外周部に外ガイド等の取付部品を固定する固定部材にクラックが入るのを防止することのできる構造簡単で安価な釣竿を提供することを目的とする。
【０００８】
【課題を解決するための手段】
上記目的を達成するため、本発明によると、軸方向に延びる脚部を有する取付部品を、この脚部と竿管とに巻回した固定部材により、竿管の外側に固定した釣竿であって、前記固定部材と脚部との間に、この固定部材よりも伸びの少ない低伸度部材を配置し、竿管が撓んだときに、前記脚部が固定部材を竿管から持上げるのを防止した釣竿が提供される。
【０００９】
【発明の実施の形態】
図１から図３は、本発明の好ましい実施形態による釣竿１０を示す。なお、図中、同様な部位には同様な符号を付し、その詳細な説明を省略する。
図１にその全体の概略を示すように、本実施形態の釣竿１０は、外ガイド付き船竿として形成してあり、後方の竿尻側に位置する元竿管１２にハンドル部１４を設け、この元竿管に穂先側の中竿管１６と穂先竿管１８とを前方に向けて順に継合わせて形成してあり、極めて大きく撓むことが可能ないわゆる柔らかい釣竿として形成してある。これらの竿管の適宜位置には、ハンドル部１４に固定した両軸タイプの魚釣用リール８から繰出された釣糸を、竿尻側と穂先との間で竿管の上側に沿って前後方向に案内する複数の釣糸ガイドを取付部品として固定してある。
【００１０】
これらの竿管１２，１６，１８は、強化繊維に合成樹脂を含浸させた繊維強化プリプレグ（ＦＲＰ）を芯金に巻回した後、硬化、脱芯等の通常の工程を経て形成される。これらの竿管１２，１６，１８は、中空構造に形成する他、中実構造に形成してもよい。また、釣竿の全体を一本の竿管で形成し、あるいは４本以上の竿管から形成することもできる。更に、ハンドル部１４のみを独立した竿管に形成し、これに適宜の竿管を継合わせることも可能である。
【００１１】
本実施形態では、釣糸ガイドとして、穂先竿管１８の先端にトップガイド２０を固定し、穂先竿管２０の中間部と中竿管１６，１８とに片足ガイドと称される釣糸ガイド２２を固定し、元竿管１２には両足ガイドと称される釣糸ガイド２４を取付けてある。片足ガイドと両足ガイドとは、片足ガイドの取付け脚部が釣糸案内部から竿尻側にのみ延びるのに対し、両足ガイドは一対の取付け脚部を竿尻側と穂先側とに延設させる点で相違するものの、竿管に対する脚部の取付け方法は基本的には同様であるため、以下に、穂先竿管１８の中間部に配置した釣糸ガイド２２の取付け構造について説明する。
【００１２】
図２および図３に示すように、穂先竿管１８の中間部に配置した釣糸ガイド２２は、内部に挿通した釣糸を案内するガイドリング２６を、金属あるいは樹脂製の支持枠２８で支えた釣糸案内部３０を備え、この釣糸案内部３０から後方あるいは竿尻側に向けて支持部３２が斜めに延びる。この支持部３２の先端からは、ガイドリング３０の開口部あるいは竿管1８の軸線と略平行に脚部３４が延び、固定部材３６により、この脚部３４を竿管１８の上側すなわちリール８と同じ側に固定される。
【００１３】
この固定部材３６は、脚部３４を竿管１８に固定する糸巻きと、この糸巻きを固める例えばエポキシ、ウレタン、ＵＶ等の樹脂の糸止めあるいは接着剤等で形成することができる。このような糸巻きに用いる糸は、天然繊維（綿糸等）の他、再生繊維、半合成繊維および合成繊維（ナイロン等）等の化学繊維で形成することができる。また、このような糸巻きに代え、繊維強化樹脂すなわちプリプレグテープあるいは樹脂テープを巻付けて形成してもよい。この固定部材３６の外面は、釣糸の引っかかり部のない、滑らかな表面とすることが好ましい。
【００１４】
本実施形態では、この固定部材３６と脚部３４との間に、この固定部材３６よりも伸びの少ない低伸度部材３８を配置してある。この低伸度部材３８は、脚部３４の先端部を超えて竿管１８に重なる部位まで竿尻側に向けて軸方向に延在する。ここで、低伸度とは、同じ大きさの力の下で、固定部材３６を形成する例えば糸巻の糸よりも、伸びが少ないことをいう。また、低伸度部材とは、固定部材３６を形成する糸等よりも伸びの少ない部材をいい、主として炭素繊維、ガラス繊維、および金属繊維等の無機繊維が該当するが、アラミド繊維等のように有機繊維であっても、固定部材３６の糸巻を形成する糸よりも伸びの少ないものであれば、用いることができる。換言すると、この低伸度部材３８は、固定部材３６よりも伸びの少ない材質を持ち、後述するように、竿管１８が大きく撓んだときに、脚部３４の先端部が固定部材３６を竿管１８から持上げるのを防止できるものであればよく、固定部材３６を形成する部材との関係でその材質を選定することができる。
【００１５】
この低伸度部材３８は、糸状、テープ状、フィルム状、シート状あるいは織布状のいずれの形態であってもよい。テープ状、フィルム状、あるいはシート状の場合には、アルミニューム、あるいはＳＵＳ等の金属の板材で形成してもよく、上述のような繊維を用いる場合は、糸状の他、織布状に形成してもよい。特に、この低伸度部材３８を、ほぼ８０から９０℃程度の温度で硬化する低温硬化型プリプレグでシート状あるいはテープ状に形成した場合には、後述するように、この上から糸巻きし、糸止めを施して塗装乾燥炉で硬化する際、この低伸度部材３８も硬化することができ、製造工程を簡略化することができる。
また、低伸度部材３８の太さあるいは厚さは、固定部材３８の厚さの半分以下とすることが好ましい。このようにすることにより、固定部材３６が竿管１８からの盛上り高さを少なくし、好適な外観を形成することができる。
【００１６】
図４に示すように、本実施形態の低伸度部材３８は、脚部３４と竿管１８とに密に巻回した状態で、脚部３４の先端部すなわち竿尻側端部を超えて竿管１８上まで延在する。特に、低伸度部材３８が竿管１８の軸方向および周方向に沿い、脚部３４の先端部を超えて延在することにより、脚部３４と竿管１８とが確実に一体化される。また、この低伸度部材３８は竿尻側端部に向けて次第に薄肉化し、竿尻側端部と竿管１８との間に段部を形成しないことが好ましい。これにより、竿尻側から固定部材３６の糸巻きを行うときに、上から巻きつける糸を竿管１８側から低伸度部材３８の端部上に滑らかに乗り上げることができる。糸巻きの途中に隙間のない連続的な密巻構造により、優れた外観を形成することができる。
【００１７】
この低伸度部材３８の上から糸巻き等を行った後、糸止めの塗料あるいは樹脂を塗布し、これを硬化することで、釣糸ガイド２２の取付けが完了する。低伸度部材３８が糸状あるいは織布状の繊維から形成する場合には、糸止め用の樹脂等が竿管１８と脚部３４との間、脚部３４と低伸度部材３８との間にも浸透し易くより強固な構造に形成することができる。中竿管１６上の釣糸ガイド２２および元竿管１２上の釣糸ガイド２４についても同様に取付けることができる。
【００１８】
このように、形成した釣竿１０は、竿管１８が大きく撓むと、脚部３４の先端部は竿管１８から離れようとするが、低伸度部材３８が竿管１８との密着状態を保持する。これにより、脚部３４の先端部による固定部材３６の突上げを防止することができる。竿管１８が繰返して大きく撓んでも、固定部材３６にクラックが入ることもなく、釣竿１０の破損を防止することができる。
【００１９】
図４は、変形例による低伸度部材３８Ａを示す。
この低伸度部材３８Ａは、脚部３４の一部すなわち竿尻側部分からこの脚部３４と軸方向に隣接する竿管１８の部位とに重ねて配置したものである。上述の低伸度部材３８と同様に、低伸度部材３８Ａの竿尻側および穂先側の端部は、次第に薄肉化することが好ましい。これにより、固定部材３６の糸巻きを行う際、竿管１８側から滑らかに乗り上げさせ、また、低伸度部材３８Ａから滑らかに脚部３４に移行させることができる。上述の場合と同様に、間に間隙を形成することのない密な糸巻構造を形成することができる。
【００２０】
この低伸度部材３８Ａは、脚部３４の少なくとも一部を覆い、この脚部３4の竿尻側端部と竿管１８とにわたって延在することができるものであれば、短冊状あるいは短いテープ状に形成することができる。この低伸度部材３８Ａは、固定部材３６の糸および糸止めにより、脚部３４と竿管１８とに強固に固定される。
これにより、竿管１８が大きく撓んで脚部３４の先端部が竿管１８から離隔しようとしても、低伸度部材３８Ａはほとんど伸びず、脚部３４と竿管１８との密着状態が保持される。したがって、竿管１８が大撓みを繰返しても、固定部材３６のクラック発生を抑制することができる。
【００２１】
図５は、取付部品として、魚釣用リール８を取付けるリールシート４０を示す。
このリールシート４０は、例えば金属製の板状シート本体４２と、シート本体４２の長手方向に沿う一対のガイド溝４４に沿って移動可能な移動フード４６と、一端側に配置した固定フード４８とを備え、これらの一対のフード４６，４８間には、リールの取付脚を載置するリール脚載置面５０を形成してある。このリール脚載置面上で、リールの取付脚の一端を固定フード４８の開口内に配置し、取付脚の他端を移動フード４６の開口内に配置した状態で、この移動フード４６を固定フード４８に向けて移動すると、リールの取付脚が一対のフード４６，４８間でリール脚載置面５０に向けて付勢され、強固に固定される。
【００２２】
このシート本体４２の両端からは、竿管１２に取付けるための脚部５２，５２が竿管１２の軸線と略平行に突出する。上述と同様な低伸度部材５４および固定部材５６により、これらの脚部５２が竿管１２に強固に固定される。
【００２３】
上述の釣糸ガイド２２，２４の場合と同様に、実釣中に竿管１２が大きく撓んでも、リールシート４０の脚部５２，５２が低伸度部材５４および固定部材５６で竿管１２に対して強固に固定されているため、これらの端部５２の先端部が竿管１２から離隔されるのが防止される。これにより、固定部材５６のクラックの発生が抑制され、その耐久性を向上させることができる。
【００２４】
なお、上述の脚部３４，５２は、それぞれ竿管１８，１２に接着剤等で直接接着させてもよく、固定部材３６，５６の糸あるいは繊維をそれぞれ低伸度材料で形成してもよい。
【００２５】
【発明の効果】
以上明らかなように、本発明によると、竿管が大きく撓んだ場合であっても、竿管の外周部に外ガイド等の取付部品を固定する固定部材にクラックが入るのを防止することのできる構造簡単で安価な釣竿を提供することができる。
【図面の簡単な説明】
【図１】本発明の好ましい実施形態による釣竿の全体図。
【図２】図１の釣竿に取付けられた釣糸ガイドの概略図。
【図３】図２の釣糸ガイドの取付構造を示し、（Ａ）は縦断面図、（Ｂ）は（Ａ）のＢ−Ｂ線に沿う断面図。
【図４】変形例による釣糸ガイドの取付構造を示し、（Ａ）は縦断面図、（Ｂ）は（Ａ）のＢ−Ｂ線に沿う断面図。
【図５】図１の釣竿に取付けられたリールシートの部分断面図。
【符号の説明】
１０…釣竿、１８…竿管、２２，２４…釣糸ガイド（取付部品）、３４…脚部、３６…固定部材、３８…低伸度部材。
【図１】
2004194563.tif 000003
【図２】
2004194563.tif 000004
【図３】
2004194563.tif 000005
【図４】
2004194563.tif 000006
【図５】
2004194563.tif 000007